(57)【要約】【課題】３Ｇネットワークにおけるユーザの装備に誤設定された２Ｇネイバーを測定して設定させるためのシステム及び方法を提供する。【解決手段】当該システムは、測定情報ユニット及び設定ユニットを備えた動作及び保守センターと、測定制御ユニットを備えた無線ネットワーク・コントローラと、データ・レジスタとを備える。当該方法は、パラメータを設定し、該パラメータに従って３Ｇセルにおける２Ｇネイバーを測定するステップと、測定されるべき２Ｇネイバー・リストを生成して該測定されるべき２Ｇネイバー・リストを測定のためにユーザの装備に配信するステップと、ユーザの装備から２Ｇネイバーの測定情報の報告を受けるステップと、測定されるべき２Ｇネイバーの１つの報告された測定情報が誤設定の条件に叶うならば、誤設定された２Ｇネイバーのリストに１を加えるステップとを含む。【選択図】図１
2007143165.tif 000002
【特許請求の範囲】
【請求項１】
動作及び保守センター、無線ネットワーク・コントローラ及びデータ・レジスタを備えた、３Ｇネットワークにおけるユーザの装備に誤設定された２Ｇネイバーを測定して設定するためのシステムであって、
前記動作及び保守センターは、さらに、測定情報ユニット及び設定ユニットを備え、該測定情報ユニットは、動作及び保守センターにおける２Ｇネイバーに対する測定条件並びに測定及び設定パラメータを記憶し、かつ、該パラメータに基づいて測定されるべき２Ｇネイバー及び３Ｇセルのリストを形成し；前記設定ユニットは、３Ｇセルの測定されるべき２Ｇネイバーの情報が測定のためにユーザの装備に配信された後、ユーザの装備から測定されるべき２Ｇネイバーの測定情報の報告を受け、測定されるべき２Ｇネイバーの測定情報の報告を分析し、測定されるべき２Ｇネイバーの１つが誤設定の条件に叶うか否かを決定し、そして、もし叶うならば、誤設定された２Ｇネイバーのリストに１を加え；
前記無線ネットワーク・コントローラは、さらに、測定制御ユニットを備え、ここに、測定制御が遭遇されるとき、動作及び保守センターは、測定制御ユニットを介して、測定されるべき２Ｇネイバー・リストを、ユーザの装備に配信して、測定制御ユニットの要件に従って設定ユニットに測定して報告し；
前記データ・レジスタは、測定されるべき２Ｇネイバーの測定情報の報告を記録するようにした、システム。
【請求項２】
３Ｇネットワークは、ＷＣＤＭＡネットワークである請求項１に記載のシステム。
【請求項３】
誤設定された２Ｇネイバーは、誤設定されたＧＳＭネイバーである請求項１に記載のシステム。
【請求項４】
ユーザの装備によって報告されてデータ・レジスタによって記録された測定情報は、現在存在するセル及び報告された２Ｇネイバー並びに２Ｇネイバーの信号品質に関する情報を含む請求項３に記載のシステム。
【請求項５】
３Ｇネットワークにおけるユーザの装備に誤設定された２Ｇネイバーを測定して設定するための方法であって：
パラメータを設定し、該パラメータに従って３Ｇセルにおける２Ｇネイバーを測定するステップと；
測定されるベき２Ｇネイバー・リストを生成し、該測定されるべき２Ｇネイバー・リストを測定のためにユーザの装備に配信するステップと；
ユーザの装備から２Ｇネイバーの測定情報の報告を受け、測定されるべき２Ｇネイバーの１つの報告される測定情報が誤設定の条件に叶うならば、誤設定された２Ｇネイバー・リストに１を加えるステップと；
を含む方法。
【請求項６】
設定し測定するステップは、
（Ｉ）：測定され設定されることが必要である３Ｇネットワークにおける２Ｇ及び３Ｇセルの領域を決定するステップと；
（ＩＩ）：動作及び保守センターにおける測定情報ユニットによって３Ｇネットワークにおける２Ｇネイバーの測定および設定パラメータを設定するステップと；
（ＩＩＩ）：各３Ｇセルごとの２Ｇネイバーを測定するために、無線ネットワーク・コントローラにおける測定制御ユニットを呼び出すステップと；
を含む請求項５に記載の方法。
【請求項７】
生成し配信するステップは：
（ＩＶ）：無線ネットワーク・コントローラにおける測定制御ユニットが、測定されるべき２Ｇネイバー・リストを生成して、該測定されるべき２Ｇネイバー・リストをユーザの装備に配信するステップを含む請求項５に記載の方法。
【請求項８】
受けて加えるステップは：
（Ｖ）：ユーザの装備が、２Ｇネイバーの情報を処理する無線ネットワーク・コントローラにおける測定制御ユニットの要件に従って、２Ｇネイバーの情報を、動作及び保守センターにおける設定ユニットに測定して報告するステップと；
（ＶＩ）： 設定ユニットが３Ｇセルにおける誤設定された２Ｇネイバーを設定するステップと；
を含む請求項５に記載の方法。
【請求項９】
ステップ（Ｉ）は：
（１）領域におけるすべての３Ｇセルを取得するステップと；
（２）３Ｇネットワーク・セルにおいて最適化されることが必要である２Ｇネイバーの領域に従って、該領域におけるすべての２Ｇセルの情報を決定するステップと；
を含む請求項６に記載の方法。
【請求項１０】
前記領域は、特定の３Ｇセル、或る地理的領域または或る行政的領域である請求項６に記載の方法。
【請求項１１】
ステップ（ＩＩ）は：
（１）ユーザの装備が３Ｇネットワークにおける２Ｇネイバーを測定することを開始するために必要とされる情報を設定するステップと；
（２）自動的測定及び設定のための深さを示すパラメータを設定するステップと；
（３）自動的測定及び設定を必要とする２Ｇネイバーの３Ｇセルのリスト情報を設定するステップと；
（４）ユーザの装備が２Ｇネイバーを測定するための条件を設定するステップと；
を含む請求項６に記載の方法。
【請求項１２】
ユーザが２Ｇネイバーを測定するための条件は、２Ｇのレベルが長さにおいて最小レベルよりも大きいということである請求項１１に記載の方法。
【請求項１３】
ステップ（ＩＶ）が以下のステップ：
（１）ユーザの装備が現在居る３Ｇセルに基づいて、無線ネットワーク・コントローラが、セルの２Ｇネイバー・リストを取得して、ユーザの装備のための２Ｇネイバーのリスト・セットとしてリスト・セットを生成するステップ；
（２）リストの数がＫであり、Ｋが３２よりも小さいならば、次に、測定及び設定を終了し；そうでなければ、測定されるべき２Ｇネイバーのための選択及び測定方法に従って、すべての２Ｇネイバー・リストから、候補の２Ｇネイバー・リストとしてリスト・セットにおける２Ｇネイバー・リストのいずれか１つとは異なる（３２−Ｋ）の２Ｇセルを選択するステップ；
（３）２Ｇネイバー・リストおよび候補の２Ｇネイバー・リストが、３２の測定されるべきネイバー・リストを構成し、該リストから、測定されるべき２Ｇネイバーが、対応の測定条件と一緒に、測定制御ユニットを介して測定するためにユーザの装備に選択され配信されるステップ；
を含んでいる請求項７に記載の方法。
【請求項１４】
測定されるべき２Ｇネイバーのための選択及び測定方法が以下のステップ：
（Ａ）：２Ｇセルの情報を、ユーザの装備が居る３Ｇセルの２Ｇネイバー・リストの情報と比較し；２Ｇセルのリスト・セットにおいて、ユーザの装備が居る３Ｇセルの２Ｇネイバー・リストの情報を除外し、そして、ユーザの装備が居る３Ｇセルの測定されるべき２Ｇネイバーの待ち行列を構成するステップ；
（Ｂ）：このセルにおけるユーザの装備が、２Ｇを測定することを開始する必要があるとき、ユーザの装備が居る３Ｇセルの２Ｇネイバー・リストと一緒に、測定されるべきネイバー・リストを構成する待ち行列の頭から最初の（３２−Ｋ）のネイバーを選択するステップ；
（Ｃ）：２Ｇネイバーの待ち行列における２Ｇセルの全てが配信されるまで、ステップ（２）を繰返し、次に、２Ｇネイバーを３Ｇセルにおけるユーザの装備に配信することを終了するステップ；
を含む請求項１３に記載の方法。
【請求項１５】
ステップ（Ｂ）は：
（Ｂ１）選択された測定されるべき２Ｇネイバーが、反復的に配信されたネイバーではないということを確実にするために、これらの（３２−Ｋ）のネイバーが配信された後、それらを待ち行列の終りに移動し；これらのネイバーがすべて測定のためにユーザの装備に成功裏に考察されて配信されると、３Ｇセルにおける２Ｇセルの配信回数に１を加えるステップ、を含む請求項１４に記載の方法。
【請求項１６】
ステップ（Ｃ）において、２Ｇネイバーの待ち行列におけるすべての２Ｇセルが、配信されたか否かを判断するための条件は、配信回数が深さを示すパラメータに達しているといことである請求項１５に記載の方法。
【請求項１７】
ステップ（Ｖ）は以下のステップ：
（１）無線ネットワーク・コントローラにおける測定制御ユニットによって配信された測定制御に基づいて、ユーザの装備が２Ｇネイバーの信号を測定することを開始するステップ；
（２）ユーザの装備が、測定報告を動作及び保守センターにおける設定ユニットにアップロードし、該設定ユニットはそれらを受信した後に該測定報告を記録し、または、測定報告はデータ・レジスタによって記録されるステップ、
を含む請求項８に記載の方法。
【請求項１８】
記録のための条件は、もし、含まれている２Ｇネイバーが現在のセルに無いならば、設定ユニットが、ユーザの装備が現在居る３Ｇセルの及び報告された２Ｇネイバーの情報を記録し、もしそうでないならば、なんら動作を必要とされない請求項１７に記載の方法。
【請求項１９】
２Ｇネイバーの報告された情報は、ＢＣＣＨ周波数点数、ＢＳＩＣ情報、及び２Ｇセルの信号品質である請求項１８に記載の方法。
【請求項２０】
ステップ（ＶＩ）は以下のステップ：
（１）もし、セルの測定されるべきネイバーの情報がユーザの装備に完全に配信されるならば、無線ネットワーク・コントローラにおける測定制御ユニットは、動作及び保守センターにおける設定ユニットに、セルのネイバーの情報配信が完了してしまったということを知らせるステップ；
（２）設定ユニットは、セルの報告された情報のすべてを収集し；もし、２Ｇネイバーの信号品質が閾値を超え、そして、報告回数も閾値を超えるならば、次に、それは、２Ｇネイバーが誤設定されたネイバーであるという立証であり、そして、それは、３Ｇセルの２Ｇネイバー・リストに加えられるステップ；
を含んだ請求項８に記載の方法。
【請求項２１】
３Ｇセルの２Ｇネイバー・リストに２Ｇネイバーを加えることは、動作及び保守センターによる自動的な加算であるか、または、手による選択的な加算であるかのいずれかである請求項２０に記載の方法。
【請求項２２】
３ＧシステムはＷＣＤＭＡシステムである請求項５乃至２１のいずれか１項に記載の方法。
【請求項２３】
誤設定された２Ｇネイバーは誤設定されたＧＳＭネイバーである請求項２２に記載の方法。
【発明の詳細な説明】
【技術分野】
【０００１】
本発明は、無線通信の分野に関し、特に、３Ｇネットワークにおける誤設定された(miss-configured)２Ｇネイバーを測定して設定する（configuring）ためのシステム及び方法に関する。
【背景技術】
【０００２】
３Ｇシステムにおいて、ローミング・ハンドオーバーは移動性管理における重要な部分である。マルチモード・ユーザの装備（ＵＥ）の移動性に起因して、その接続サービスは、一つのセルからもう一つのセルにハンドオーバーされ、それ故、該ネットワークは、ユーザの良好なサービスを確実にすることができ、呼び出しドロップ率(call-drop rate)を減少することができ、音声品質を改善することができ、そしてネットワークの輻輳もしくは混雑を減少することができる。
【０００３】
接続モードにおいて、マルチモード・ユーザの装備が無線アクセス・システムを離れて、もう一つの無線アクセス・システムに入っていくとき、ハンドオーバーの間中、ユーザのサービスは未だ維持されたままであり、このプロセスは、システム間ハンドオーバーと称される。接続以外の他のモードにおいて、マルチモード・ユーザの装備が一つの無線アクセス・システムを離れて別の無線アクセス・システムに向かうとき、ローミング・プロセスが起こる。次に、マルチモード・ユーザの装備は、新しい場所におけるサービスのための新しいシステムにアクセスすることができる。システム間ハンドオーバーに対する目的は、異なったシステム間の境界領域において、一層良好な品質のサービスを移動性加入者に提供することである。
【０００４】
現在のネットワークは、主に２Ｇネットワークであり、すべてを一度に３Ｇネットワークに更新することがおそらくできないので、３Ｇネットワーク及び２Ｇネットワークが、かなり長い期間間違いなく共存するであろう。従って、３Ｇネットワークと２Ｇネットワークとの間でローミング・ハンドオーバーの機能を実現することが非常に重要である。
【０００５】
３Ｇネットワークが包摂領域において貧弱になるとき、この領域において良好な２Ｇの包摂領域があるならば、３Ｇネットワークは、マルチモード・ユーザの装備を制御して、２Ｇネットワークの測定を開始するようそれに命令するであろう。２Ｇネットワークの品質が要件を満たすならば、マルチモード・ユーザの装備は、対応の測定報告を３Ｇネットワークに送り、３Ｇネットワークは報告を判断した後、２Ｇネットワークへのハンドオーバーを開始し、このように会話プロセスを維持する。
【０００６】
接続モードにおいて、３Ｇネットワークがマルチモード・ユーザの装備を制御して、２Ｇネットワークの信号を測定するようそれに命令するとき、２Ｇネットワーク・ネイバーのリストはマルチモード・ユーザの装備に配信されることが必要である。２Ｇネットワーク・ネイバーのリストが設定されていないか、または目標の２Ｇセルのネイバーがリスト内に設定されていないならば、マルチモード・ユーザの装備はハンド−オーバーを履行することができず、従って、呼び出しドロップが生じる。それに反して、アイドル・モードにおいては、マルチモード・ユーザの装備は、システム配信された２Ｇネイバー・リストに基づいて２Ｇシステムを再選択する。２Ｇネットワークの品質が要件を満足するならば、マルチモード・ユーザの装備は２Ｇネットワークを再選択するであろう。
【０００７】
上述の説明から、マルチモード・ユーザの装備が接続モードにあるか、またはアイドル・モードにあるかで、それは、ハンドオーバーまたは再選択を終了させるために、２Ｇネイバー・リストを用いることを必要とする。
【０００８】
接続モードにおいて、２Ｇネイバー・リストが誤設定され（miss-configured）ているならば、３Ｇの包摂が貧弱になるとき、それは貧弱な音声品質、同時に会話の断続、並びに、おそらく、重大な状況における呼び出しドロップを生じ得る。
【０００９】
アイドル・モードにおいて、２Ｇネイバー・リストが誤設定されていたならば、３Ｇ包摂が貧弱になるとき、それはネットワーク・ドロップを生じ得、その後、マルチモード・ユーザの装備は、セルを探索するのに長い時間費やすことを必要とする。他方、それは、呼び出しを行うこと、もしくは、受信することをできず、このことは、ユーザの感情に重大な影響を与える。
【００１０】
一般的に言えば、３Ｇネットワークが正式に動作状態に置かれるとき、システムは既に、初期の２Ｇネイバー・リストで設定されてしまっており、該初期の２Ｇネイバー・リストは、完了されていないかもしれず、ネットワークの未来の動作段階において、連続する最適化を必要とする。２Ｇネイバー・リストを最適化することにより、それは、３Ｇネットワークと２Ｇネットワークの間の再選択及びハンドオーバーの品質を改善することができる。以下の方法は、３Ｇ及び２Ｇネイバーのリストを最適化するために一般的に用いられる：
【００１１】
１）  ユーザの不満を分析し、相応して、３Ｇ及び２Ｇネットワーク間の再選択またはハンドオーバーによって、それらが引き起こされるか否かを決定し、そして特定されたテストを配列し；
【００１２】
２）  あるセルの性能カウンタを分析し、ハンドオーバー成功率のインデックスを調査し、そして該インデックスが非常に貧弱であるかを判断し、もし貧弱ならば、それらのセルに対して特定されたテストを配列し；
【００１３】
３）  上述の分析に基づいて、問題の領域及びキー包摂の領域、例えば、屋内の包摂領域に対して、チャンネル・テスト及び呼び出し品質テスト（ＣＱＴ）を配列し、そしてテスト・データをテストして分析するために、特別のチャンネル・テスト職員を配列し；
【００１４】
４）  チャンネル・テスト・データ、またはＣＱＴテスト・データを分析し、３Ｇ及び２Ｇネットワーク間ハンドオーバー成功率を分析し、そしてそれらが２Ｇネイバーの誤設定（miss-configuring）によって引き起こされるか否かを確認し；
【００１５】
５）  もう一つの２Ｇネイバーを追加し、そして問題が解決されたということを確実なものにするために、更なるテストを行う。
【００１６】
従来技術は、後分析によって誤設定された２Ｇネイバーをすべて見つけ、そして誤設定された２Ｇネイバーの問題を成功裏に解決する前に、おそらく多くのユーザが、既に、貧弱なネットワーク品質を経験してしまっており、このことは彼等の感情に影響を与え、ネットワーク・オペレータの評判を損なう。
【００１７】
従来技術では、特別のチャンネル・テスト及びＣＱＴテストが、誤設定されたネイバーの問題を見つけて解決するために必要とされ、このことは莫大な量のマンパワー及び資源並びに出資を伴うものである。
【００１８】
２Ｇネットワークの装備及び保守が３Ｇネットワークのものとは異なっているとき、３Ｇネットワークの保守職員は、２Ｇネットワークの調整について、正当に知らされないかもしれず、例えば、２Ｇネットワークがそれらのアンテナを調整して、もう一つの場所または中継器を追加するとき、３Ｇ及び２Ｇネットワーク間のハンドオーバー、もしくはネイバー間の関係が変化し、このことはネイバー間の関係をタイムリーに調整することなく、音声品質に影響を与え、そしてさらに、ユーザの最終的な感情に影響を与える。
【００１９】
３Ｇネットワークが単独で調整されるとき、３Ｇ及び２Ｇネットワーク間のネイバー設定の関係も変化を経験する。共通の方法は、チャンネル・テストによって問題を見つけることである。しかしながら、チャンネル・テストはすべてのチャンネルを考察もしくは点検する（トラバース）ことができず、ネイバーの誤設定（miss-configurations）のすべてを解決することができず、従って、ネイバーの最適化は、ネットワークの幾つかの動作時間の後に頼られなければならない。
【発明の開示】
【発明が解決しようとする課題】
【００２０】
本発明の実施形態は上述した欠点を解決することを目的とし、３Ｇネットワークにおける誤設定された２Ｇネイバーを測定して設定し、３Ｇ及び２Ｇネットワークのネイバーにおけるマルチモード・ユーザの装備の自動設定を可能とし、マルチモード・ユーザの装備のネイバー情報を最適化し、ネットワークのハンドオーバー円滑化し、そしてユーザの経験をよりよいものとするためのシステム及び方法を提供することである。
【課題を解決するための手段】
【００２１】
本発明の実施形態の目的を達成するために、動作及び保守センター、無線ネットワーク・コントローラ及びデータ・レジスタを備えた、３Ｇネットワークにおけるユーザの装備に誤設定された２Ｇネイバーを測定して設定するためのシステムであって、
前記動作及び保守センターは、さらに、測定情報ユニット及び設定ユニットを備え、該測定情報ユニットは、動作及び保守センターにおける２Ｇネイバーに対する測定条件並びに測定及び設定パラメータを記憶し、かつ、該パラメータに基づいて測定されるべき２Ｇネイバー及び３Ｇセルのリストを形成し；前記設定ユニットは、３Ｇセルの測定されるべき２Ｇネイバーの情報が測定のためにユーザの装備に配信された後、ユーザの装備から測定されるべき２Ｇネイバーの測定情報の報告を受け、測定されるべき２Ｇネイバーの測定情報の報告を分析し、測定されるべき２Ｇネイバーの１つが誤設定の条件に叶うか否かを決定し、そして、もし叶うならば、誤設定された２Ｇネイバーのリストに１を加え；
前記無線ネットワーク・コントローラは、さらに、測定制御ユニットを備え、ここに、測定制御が遭遇されるとき、動作及び保守センターは、測定制御ユニットを介して、測定されるべき２Ｇネイバー・リストを、ユーザの装備に配信して、測定制御ユニットの要件に従って設定ユニットに測定して報告し；
前記データ・レジスタは、測定されるべき２Ｇネイバーの測定情報の報告を記録するようにした、システムが提供される。
【００２２】
３Ｇネットワークは、ＷＣＤＭＡネットワークであって良い。
【００２３】
誤設定された２Ｇネイバーは、誤設定されたＧＳＭネイバーであって良い。
【００２４】
設定ユニットは、現在存在するセル及び報告された２Ｇネイバー並びに２Ｇネイバーの信号品質に関する情報を含む、ユーザの装備によって報告された情報を記録する。
【００２５】
本発明の実施形態は、また、３Ｇネットワークにおけるユーザの装備に誤設定された２Ｇネイバーを測定して設定するための方法であって：
パラメータを設定し、該パラメータに従って３Ｇセルにおける２Ｇネイバーを測定するステップと；
測定されるベき２Ｇネイバー・リストを生成し、該測定されるべき２Ｇネイバー・リストを測定のためにユーザの装備に配信するステップと；
ユーザの装備から２Ｇネイバーの測定情報の報告を受け、測定されるべき２Ｇネイバーの１つの報告される測定情報が誤設定の条件に叶うならば、誤設定された２Ｇネイバー・リストに１を加えるステップと；
を含む方法を提供する。
【００２６】
一層詳細には、上述の方法の設定し測定するステップは、
ステップ（Ｉ）：測定し設定することが必要である３Ｇネットワークにおける２Ｇ及び３Ｇセルの領域を決定するステップを含み；
該ステップ（Ｉ）は：
（１）領域におけるすべての３Ｇセルを取得するステップと；
（２）３Ｇネットワーク・セルにおいて最適化することが必要である２Ｇネイバーの領域に従って、該領域におけるすべての２Ｇセルの情報を決定するステップと；
を含み、
前記領域は、特定の３Ｇセル、或る地理的領域または或る行政的領域であって良い。
【００２７】
また、上述の方法の設定し測定するステップは、
ステップ（ＩＩ）：動作及び保守センターにおける測定情報ユニットによって３Ｇネットワークにおける２Ｇネイバーの測定および設定パラメータを設定するステップを含み；
該ステップ（ＩＩ）は：
（１）ユーザの装備が３Ｇネットワークにおける２Ｇネイバーを測定することを開始するために必要とされる情報を設定するステップと；
（２）自動的測定及び設定のための深さを示すパラメータ（Ｎｒｅｐｅａｔ）を設定するステップと；
（３）自動的測定及び設定を必要とする２Ｇネイバーの３Ｇセルのリスト情報を設定するステップと；
（４）ユーザの装備が２Ｇネイバーを測定するための条件を設定するステップと；
を含み、
ユーザの装備が２Ｇネイバーを測定するための条件は、２Ｇのレベルが長さにおいて最小レベル（ＲＳＳＩｍｉｎ）よりも大きいということである。
【００２８】
さらに、上述の方法の設定し測定するステップは、
ステップ（ＩＩＩ）：各３Ｇセルごとの２Ｇネイバーを測定するために、無線ネットワーク・コントローラにおける測定制御ユニットを呼び出すステップ；
を含む。
【００２９】
一層詳細には、上述の方法の生成し配信するステップは：
ステップ（ＩＶ）：無線ネットワーク・コントローラにおける測定制御ユニットが、測定されるべき２Ｇネイバーのリストを生成して、該測定されるべき２Ｇネイバーのリストをユーザの装備に配信するステップを含み；
該ステップ（ＩＶ）が以下のステップ：
（１）ユーザの装備が現在居る３Ｇセルに基づいて、無線ネットワーク・コントローラが、セルの２Ｇネイバー・リストを取得して、ユーザの装備のための２Ｇネイバーのリスト・セットとしてリスト・セットを生成するステップ；
（２）リストの数がＫであり、Ｋが３２よりも小さいならば、次に、測定及び設定を終了し；そうでなければ、測定されるべき２Ｇネイバーのための選択及び測定方法に従って、すべての２Ｇネイバー・リストから、候補の２Ｇネイバー・リストとしてリスト・セットにおける２Ｇネイバー・リストのいずれか１つとは異なる（３２−Ｋ）の２Ｇセルを選択するステップ；
（３）２Ｇネイバー・リストおよび候補の２Ｇネイバー・リストが、３２の測定されるべきネイバー・リストを構成し、該リストから、測定されるべき２Ｇネイバーが、対応の測定条件と一緒に、測定制御ユニットを介して測定するためにユーザの装備に選択され配信されるステップ；
を含んでいる。
【００３０】
測定されるべき２Ｇネイバーのための選択及び測定方法は以下のステップ：
（Ａ）：２Ｇセルの情報を、ユーザの装備が居る３Ｇセルの２Ｇネイバー・リストの情報と比較し；２Ｇセルのリスト・セットにおいて、ユーザの装備が居る３Ｇセルの２Ｇネイバー・リストの情報を除外し、そして、ユーザの装備が居る３Ｇセルの測定されるべき２Ｇネイバーの待ち行列を構成するステップ；
（Ｂ）：このセルにおけるユーザの装備が、２Ｇを測定することを開始する必要があるとき、ユーザの装備が居る３Ｇセルの２Ｇネイバー・リストと一緒に、測定されるべきネイバー・リストを構成する待ち行列の頭から最初の（３２−Ｋ）のネイバーを選択するステップ；
ステップ（Ｂ）は：
（Ｂ１）選択された測定されるべき２Ｇネイバーが、反復的に配信されたネイバーではないということを確実にするために、これらの（３２−Ｋ）のネイバーが配信された後、それらを待ち行列の終りに移動し；これらのネイバーがすべて測定のためにユーザの装備に成功裏に考察されて配信されると、３Ｇセルにおける２Ｇセルの配信回数に１を加えるステップ、を含み、
（Ｃ）：２Ｇネイバーの待ち行列における２Ｇセルの全てが配信されるまで、ステップ（２）を繰返し、次に、２Ｇネイバーを３Ｇセルにおけるユーザの装備に配信することを終了するステップ；
を含み、
ステップ（Ｃ）において、２Ｇネイバーの待ち行列におけるすべての２Ｇセルが、配信されたか否かを判断するための条件は、配信回数が深さを示すパラメータ（Ｎｒｅｐｅａｔ）に達しているということである。
【００３１】
一層詳細には、上述の方法の受けて加えるステップは：
（Ｖ）：ユーザの装備が、２Ｇネイバーの情報を処理する無線ネットワーク・コントローラにおける測定制御ユニットの要件に従って、２Ｇネイバーの情報を、動作及び保守センターにおける設定ユニットに測定して報告するステップを含み；
ステップ（Ｖ）は以下のステップ：
（１）無線ネットワーク・コントローラにおける測定制御ユニットによって配信された測定制御に基づいて、ユーザの装備が２Ｇネイバーの信号を測定することを開始するステップ；
（２）ユーザの装備が、測定報告を動作及び保守センターにおける設定ユニットにアップロードし、該設定ユニットはそれらを受信した後に該測定報告を記録し、または、測定報告はデータ・レジスタによって記録されるステップ、
を含み、
記録のための条件は、もし、含まれている２Ｇネイバーが現在のセルに無いならば、設定ユニットが、ユーザの装備が現在居る３Ｇセルの及び報告された２Ｇネイバーの情報を記録し、もしそうでないならば、なんら動作を必要とされず、
２Ｇネイバーの報告された情報は、ＢＣＣＨ周波数点数、ＢＳＩＣ情報、及び２Ｇセルの信号品質を含む。
【００３２】
また、上述の方法の受けて加えるステップは：
（ＶＩ）： 設定ユニットが３Ｇセルにおける誤設定された２Ｇネイバーを設定するステップ；
をも含み、
ステップ（ＶＩ）は以下のステップ：
（１）もし、セルの測定されるべきネイバーの情報がユーザの装備に完全に配信されるならば、無線ネットワーク・コントローラにおける測定制御ユニットは、動作及び保守センターにおける設定ユニットに、セルのネイバーの情報配信が完了してしまったということを知らせるステップ；
（２）設定ユニットは、セルの報告された情報のすべてを収集し；もし、２Ｇネイバーの信号品質が閾値を超え、そして、報告回数も閾値を超えるならば、次に、それは、２Ｇネイバーが誤設定されたネイバーであるという立証であり、そして、それは、３Ｇセルの２Ｇネイバー・リストに加えられるステップ；
を含む。
【００３３】
３Ｇセルの２Ｇネイバー・リストに２Ｇネイバーを加えることは、動作及び保守センターによる自動的な加算であるか、または、手による選択的な加算であるかのいずれかである。
【００３４】
３ＧシステムはＷＣＤＭＡシステムであって良い。
【００３５】
誤設定された２Ｇネイバーは誤設定されたＧＳＭネイバーであって良い。
【発明の効果】
【００３６】
本発明の有利な効果は、３Ｇ及び２Ｇネイバーの自動設定（automatic configuration）の問題を解決するということにあり、ユーザの装備が３Ｇ範囲の領域から２Ｇ範囲の領域に行くとき、システムは、それがセルを測定するのを開始するように、測定制御をユーザの装備に送ることができる。測定制御を設定することにより、システムは、誤設定された（miss-configured）２Ｇネイバーの問題を分析して発見し、ネイバーの設定（configuration）に関する提案を提供し、このようにして、２Ｇネイバーの誤設定に起因する呼び出しドロップ（call dropping）及び音声品質の劣化を減少し、ネイバーの最適化効率を改善する。
【発明を実施するための最良の形態】
【００３７】
図１及び図２と関連して、以下では、本発明の実施形態による３Ｇネットワークにおける誤設定された（miss-configured）２Ｇネイバーを自動的に測定して設定する（configuring）ための方法を詳細に説明する。
【００３８】
本発明の実施形態は、第２世代（２Ｇ）の無線移動通信技術、すなわち、広域自動車通信システム（ＧＳＭ）、並びに第３世代（３Ｇ）の無線移動通信技術、すなわち、広帯域符号分割多元接続（ＷＣＤＭＡ）を支援する双モードもしくは多重モードの無線ユーザ装備の誤設定されたネイバーを自動的に測定して設定するための方法を説明する。しかしながら、上述の移動通信ネットワークに加えて、本発明の実施形態は、また、任意の他の共存する双モードまたは多重モードの移動通信システムにも適用される。
【００３９】
ＷＣＤＭＡプロトコルは、ＷＣＤＭＡシステムにおける無線ネットワーク・コントローラが測定制御メッセージを配信することができ、それ故、ＷＣＤＭＡセルにおけるマルチモード・ユーザの装備はＧＳＭ信号を測定し始めるということを定義する。それは、また、マルチモード・ユーザの装備がＧＳＭ信号を報告するための条件をも定義する。このような条件に叶うＧＳＭ信号は、周期的にまたはイベントによってのいずれかで動作及び保守センターに報告される。ＧＳＭにハンドオーバーすることができるネイバーを示すネイバー・リストは、ＷＣＤＭＡ及びＧＳＭシステム間のシステム間ハンドオーバーをマルチモード・ユーザの装備が行うのを可能とするように生成される。さらに、プロトコルも、また、マルチモード・ユーザの装備によって測定され、ＧＳＭにハンドオーバーすることができるネイバーを示すネイバー・リストが、３２と同じ位に達し得るということを定義することができる。
【００４０】
しかしながら、一般に、ＣＤＭＡセルに対して設定されたＧＳＭネイバー・リストは、３２よりも少ない。すなわち、ＧＳＭにハンドオーバーすることができるネイバーを示すネイバー・リストの数を３２に達しさせるために、それらに追加のＧＳＭネイバー・リストを追加することができる。
【００４１】
本発明の実施形態は、以下の態様に関係するシステム及び方法を提供する：ＷＣＤＭＡセルにおけるＧＳＭネイバー・リスト上に現れないそれらのＧＳＭセルすべてを測定し、このＷＣＤＭＡセルにおける誤設定されたＧＳＭネイバー・リストにＷＣＤＭＡセルにおけるＧＳＭネイバー・リストの閾値を届かせるそれらのＧＳＭセルを作り、ＷＣＤＭＡセルにおけるＧＳＭネイバー・リストにそれらを加え、ＷＣＤＭＡセルにおけるＧＳＭ（ＷＣＤＭＡとは異なったシステム）ネイバー信号の測定を実現するよう、誤設定されたＧＳＭネイバー・リストの設定を増加し、測定結果を分析し、誤設定されたＧＳＭネイバー・リストを得、そして、次に、それらの設定を最適化する。
【００４２】
図１に示されるように、この実施形態においては、ＷＣＤＭＡネットワークにおけるマルチモード・ユーザの装備に、誤設定されたＧＳＭネイバーを測定して設定するためのシステムは：動作及び保守センター（an operation and maintenance center）（ＯＭＣ）；無線ネットワーク・コントローラ（ＲＮＣ）；データベース；を含む。
【００４３】
動作及び保守センター（ＯＭＣ）は、測定情報ユニットと設定ユニットとを含み：測定情報ユニットは、ＧＳＭネイバーを設定して最適化するためのパラメータ、並びに動作及び保守センターにおけるＧＳＭネイバーを測定するための条件を記憶し、そして、該パラメータに基づいて、測定されるべき２Ｇネイバー及びＷＣＤＭＡセルのリストを形成するために用いられ、ここに、ＷＣＤＭＡにおける測定されるべきＧＳＭネイバーの情報がマルチモード・ユーザの装備にすべて配信され、そして、配信回数がＮｒｅｐｅａｔに達した後、次に、測定した後、マルチモード・ユーザの装備は、設定ユニットに測定されるべきＧＳＭネイバーの測定情報を報告し、設定ユニットまたはデータベースは、測定されるべきＧＳＭネイバーの測定情報を記録し、設定ユニットは、測定されるべきＧＳＭネイバーの測定情報の報告のすべてを分析し、そして、それらが誤設定の条件に叶うか否かを決定し、もし叶うならば、それらを誤設定されたＧＳＭネイバー・リストとして加える。
【００４４】
無線ネットワーク・コントローラは、測定制御ユニットを含み、該測定制御ユニットを通して、もし測定条件が叶うならば、動作及び保守センターが、マルチモード・ユーザの装備に、測定されるべきＧＳＭネイバー・リストを配信する。それらを測定した後、マルチモード・ユーザの装備は、測定制御ユニットの要件に従ってそれらを報告する。すなわち、測定制御ユニットは、２Ｇネイバー信号を、例えば、周期報告でまたはイベント報告で、報告するためのトリガー・モードを与えるであろう。イベント報告に対しては、測定制御ユニットは、例えば信号レベルが−１００ｄＢｍよりも高くあるべきであり、持続時間を保持すべきであるという、２Ｇセルのための閾値要件を設定する。周期報告に対しては、周期時間が与えられるであろう。
【００４５】
本発明の実施形態によるＷＣＤＭＡネットワークにおける誤設定されたＧＳＭネイバーを測定して設定するためのシステムと関連して、その方法が以下に一層詳細に説明される。
【００４６】
以下の説明を容易にするために、以下の定義を特に与えておく：
【００４７】
定義１：ＧＳＭ＿Ｃｅｌｌ＿Ｓｅｔ、測定されるべき領域におけるＧＳＭセルのすべてにおけるＢＳＩＣ数及びＢＣＣＨ周波数点の一組の組み合わせ、すなわち、
ＧＳＭ＿Ｃｅｌｌ＿Ｓｅｔ＝｛（ＢＣＣＨ＿Ａｒｆｃｎｌ、Ｂｓｉｃ１）、（ＢＣＣＨ＿Ａｒｆｃｎ２、Ｂｓｉｃ２）、…（ＢＣＣＨ＿ＡｒｆｃｎＮ、ＢｓｉｃＮ）｝；
【００４８】
定義２：ＷＣＤＭＡ＿Ｃｅｌｌ＿Ｓｅｔ、測定されるべき領域におけるすべてのＷＣＤＭＡセルの一組のＩＤ、すなわち、
ＷＣＤＭＡ＿Ｃｅｌｌ＿Ｓｅｔ＝｛Ｃｅｌｌｉｄ１、Ｃｅｌｌｉｄ２、…ＣｅｌｌｉｄＭ｝；
【００４９】
定義３：ＧＳＭ＿Ｎｅｉｇｈｂｏｒ＿Ｌｉｓｔ＿ｉ、ｉ番目のＷＣＤＭＡセルＣｅｌｌｉｄｉ（ｉ＝１、２、…Ｍ）に対して設定されているＧＳＭネイバー・リスト；
【００５０】
定義４：ＧＳＭ＿Ｎｅｉｇｈｂｏｒ＿Ａｄｄ＿Ｌｉｓｔ＿ｉ＿ｊ、ｉ番目のＷＣＤＭＡセルＣｅｌｌｉｄｉにおけるｊ番目の測定されるべきＧＳＭネイバー・リスト；
【００５１】
定義５：ＧＳＭ＿Ｎｅｉｇｈｂｏｒ＿Ｓｅｔ、ＧＳＭ＿Ｎｅｉｇｈｂｏｒ＿Ｌｉｓｔ＿ｉ及びＧＳＭ＿Ｎｅｉｇｈｂｏｒ＿Ａｄｄ＿Ｌｉｓｔ＿ｉ＿ｊによって構成される測定されるべきＧＳＭネイバー待ち行列（キュー）、すなわち、ＧＳＭ＿Ｎｅｉｇｈｂｏｒ＿Ｓｅｔ＝ＧＳＭ＿Ｎｅｉｇｈｂｏｒ＿Ｌｉｓｔ＿ｉ＋ＧＳＭ＿Ｎｅｉｇｈｂｏｒ＿Ａｄｄ＿Ｌｉｓｔ＿ｉ＿ｊ、ここに、ＧＳＭ＿Ｎｅｉｇｈｂｏｒ＿Ａｄｄ＿Ｌｉｓｔ＿ｉ＿ｊは、測定されるべきＧＳＭネイバーの選択及び測定アルゴリズムに従って、ＧＳＭ＿Ｃｅｌｌ＿ＳｅｔからのＧＳＭ＿Ｎｅｉｇｈｂｏｒ＿Ｌｉｓｔ＿ｉにおける任意の他のＧＳＭネイバー・リストとは異なった（３２−Ｋ）ＧＳＭネイバー・リストを選択することによって形成される測定されるべきＧＳＭネイバー・リストである。
【００５２】
図２に示されるように、ＷＣＤＭＡネットワークにおける誤設定されたＧＳＭネイバーを測定して設定するための方法は、以下のステップを含む：
【００５３】
ステップ（Ｉ）：測定して設定することを必要とするＷＣＤＭＡネットワークにおける２Ｇネイバー及びＷＣＤＭＡセルの領域を決定すること：
【００５４】
領域におけるすべてのＷＣＤＭＡセルの情報を取得する、すなわち、ＷＣＤＭＡ＿Ｃｅｌｌ＿Ｓｅｔ；
【００５５】
ＧＳＭネイバー・リストがＷＣＤＭＡネットワークセルにおいて測定及び設定することを必要とする領域に従って、該領域におけるすべてのＧＳＭセルの情報を決定する、すなわち、ＧＳＭ＿Ｃｅｌｌ＿Ｓｅｔ。
【００５６】
測定し設定することを必要とするＧＳＭネイバーの、上述の領域は、特定のＷＣＤＭＡセルまたは或る地理的領域、もしくは或る行政上の領域であって良い。
【００５７】
ステップ（ＩＩ）：動作及び保守センターにおける測定情報ユニットによって、ＷＣＤＭＡネットワークにおけるＧＳＭネイバーを測定し設定するためのパラメータを設定すること：
【００５８】
（１）ＷＣＤＮＡネットワークにおけるＧＳＭネイバーを測定することを開始するために、マルチモード・ユーザの装備に対して必要とされる情報を設定すること；
【００５９】
現在の実施形態においては、ＷＣＤＭＡセルにおいて、表１における情報が、ＧＳＭネイバーを測定することを開始するために、マルチモード・ユーザの装備に対して必要とされる。
【００６０】
【表１】
2007143165.tif 000003
【００６１】
ＧＳＭネイバーの情報において、ＢＣＣＨ周波数点の数は、多くて１０２４に達することができ、各ＧＣＣＨ周波数点は、異なったベース・ステーションの同定コード（ＢＳＩＣ）で設定され得る。しかしながら、実際のシステムにおいては、あるネットワーク・オペレータが、ＢＣＣＨ周波数点の部分を用いるだけであり；例えば、中国の自動車は１−９５の対応のＢＣＣＨ周波数点数（ＢＣＣＨ  ＡＲＦＣＮ）を有するＧＳＭ９００の周波数範囲において８９０−９０９／９３５−９５４ＭＨｚを用い；それは、また、５１２−５６１の対応のＢＣＣＨ周波数点数を有するＤＣＳ１８００周波数範囲における１７１０−１７２０ＭＨｚを用いるけれども；１４５の搬送波周波数がある。従って、すべてのＧＳＭネイバー（周波数の多重化を考慮しない）は、多くて１４５×８＝１１６０に達し得る。
【００６２】
従来技術が、周波数点を測定するために用いられる場合には、マルチモード・ユーザの装備が一度に３２と同じ位の多さの誤設定されたネイバーを測定することができるだけであるので、それは、１１６０の周波数点を測定することを終了するために、複数のマルチモード・ユーザの装備及び長時間を必要とするであろう。
【００６３】
従って、本実施形態においては、潜在的な誤設定されたＧＳＭネイバーの数を減らすために、誤設定されたＧＳＭネイバーを測定して設定する前に、まず、その誤設定されたネイバーを測定して設定することを必要とする領域を決定し、この領域内にそれらのネイバーのセル及びＧＳＭセルのＢＣＣＨ周波数点及びＢＳＩＣを取得することが必要とされる。これは、条件的設定プロセス、すなわち、手動の設定プロセスであり得る。例えば、領域内のＧＳＭネイバーを取得して最適化するために、最初に、対応の領域を限定し、次に、この領域に、ＢＣＣＨ周波数点及びＢＳＩＣを含むすべてのＧＳＭセルの情報を取得し、次に、誤設定されたネイバーを測定して設定するために、入力パラメータ・リストＧＳＭ＿Ｃｅｌｌ＿Ｓｅｔとしてキュー（待ち行列）を形成することが必要とされる。すなわち、ＢＣＣＨ周波数点及びＢＳＩＣは結合され、例えば、ＢＣＣＨ周波数点１及びＢＳＩＣ１に対する結合（１、１）、ＢＣＣＨ周波数点２及びＢＳＩＣ２に対する結合（２、２）である。次に、この領域におけるＢＣＣＨ周波数点及びＢＳＩＣの結合のすべては、ＧＳＭ＿Ｃｅｌｌ＿Ｓｅｔ、すなわち、誤設定されてネイバーを測定して設定するための入力パラメータ・リスト・セット、を形成する。
【００６４】
（２）測定及び設定のための深さを示すパラメータＮｒｅｐｅａｔを設定すること：
【００６５】
測定及び設定のための深さを示すパラメータＮｒｅｐｅａｔを設定することにより、システムは、ＷＣＤＭＡにおけるｉ番目のセルＣｅｌｌｉｄｉにおけるＧＳＭセルの情報のすべてがマルチメディア・ユーザの装備に配信されるように、測定制御ユニットが、測定されるべきＧＳＭネイバーを反復的に配信するための回数を決定する。
【００６６】
マルチモード・ユーザの装備に配信される測定されるべきＧＳＭネイバーは各回ごとに３２を超えることができないが、３２以上のＧＳＭセルがある。従って、すべてのＧＳＭセルからＫのＧＳＭネイバーを差し引いた後、各回ごとに、（３２−Ｋ）のＧＳＭセルが選択されて配信されるだけであり、その後、これらの（３２−Ｋ）セルは待ち行列の最後に移動される。すべてのＧＳＭセルが考察されて測定のためにマルチモード・ユーザの装備に成功裏に配信されたならば、ＷＣＤＭＡセルにおけるＧＳＭセルの配信回数に１を加える。配信回数がＮｒｅｐｅａｔに達したとき、すなわち、配信プロセスがＮ回反復されたとき、それは、すべてのＧＳＭセルが測定されてしまったという立証である。
【００６７】
反復された配信回数Ｎｒｅｐｅａｔは、異なったマルチモード・ユーザの装備に対して異なっている。
【００６８】
例えば、ＷＣＤＭＡセルにおいて１００のＧＳＭセル情報がある場合、マルチモード・ユーザの装備がこのセル内に１０のネイバー・リストで設定されていたならば、次に、残りの９０のＧＳＭセル情報から、３２−１０＝２２のＧＳＭセル情報が各回ごとに配信のために選択され得る。反復された配信を避けるために、２２のセル情報が最初の回に配信された後、それらは待ち行列の最後に移動され、そして次の異なった２２のセル情報が配信のために選択される。このプロセスは４回反復され、全部で８８のセル情報が配信され、２つのセル情報が残る。すべてのＧＳＭセルが考察されたとき、配信回数に１を加える。配信回数が深さを示すパラメータＮｒｅｐａｅｔに達したならば、それは、すべてのＧＳＭセルが測定されてしまったという立証である。
【００６９】
（３）それらのＧＳＭネイバーを測定して設定することを必要とするＷＣＤＭＡセル（Ｃｅｌｌｉｄｉ）のリスト情報（ＷＣＤＭＡ＿Ｃｅｌｌ＿Ｓｅｔ）を設定すること：
【００７０】
それらのＧＳＭネイバーを測定して設定することを必要とするＷＣＤＭＡセルのリスト情報（ＷＣＤＭＡ＿Ｃｅｌｌ＿Ｓｅｔ）を設定することにより、それらのＧＳＭネイバーを測定して設定することを必要とするＷＣＤＭＡセル（Ｃｅｌｌｉｄｉ）の数が決定される。
【００７１】
（４）マルチモード・ユーザの装備がＧＳＭネイバーを測定するための条件を設定すること：
【００７２】
ユーザは、ＧＳＭネイバーを測定するための条件を叶えるべきである。該条件は、ここでは、移動している間に、マルチモード・ユーザの装備が、ＧＳＭにハンドオーバーしてＧＳＭネイバーを測定することを開始することを必要とするということを意味するか、または、ネットワーク側が、ＧＳＭネイバーを測定して設定するために、マルチモード・ユーザの装備にＧＳＭセルの測定を開始させるということを意味し得る。
【００７３】
本実施形態においては、マルチモード・ユーザの装備がＧＳＭネイバーを測定するための条件は、ＧＳＭのレベルがＧＳＭの最小レベル（ＧＳＭ＿ＲＳＳＩｍｉｎ）よりも大きいということである。
【００７４】
ステップ（ＩＩＩ）：各ＷＣＤＭＡセル（Ｃｅｌｌｉｄｉ）のためのＧＳＭネイバー・リストを測定することを開始するために、無線ネットワーク・コントローラにおける測定制御ユニットを呼び出すこと：
【００７５】
ＷＣＤＭＡ＿Ｃｅｌｌ＿Ｓｅｔにおけるｉ番目のセルＣｅｌｌｉｄｉに対し、該セル内のすべてのマルチモード・ユーザの装備が観察され、もし、或るマルチモード・ユーザの装備ｊが、ＷＣＤＭＡネットワークの端にあって、ＧＳＭネイバーを測定することを必要とするならば、無線ネットワーク・コントローラは、マルチモード・ユーザの装備が、ＧＳＭセルの測定を開始することを必要とする。
【００７６】
ステップ（ＩＶ）：測定されるべきネイバー・リストを生成し、それらをマルチモード・ユーザの装備に配信する測定制御ユニット：
【００７７】
現在のマルチモード・ユーザの装備が居るＷＣＤＭＡセルＣｅｌｌｉｄｉに従って、無線ネットワーク・コントローラは、このセルのＧＳＭネイバー・リストＧＳＭ＿Ｎｅｉｇｈｂｏｒ＿Ｌｉｓｔ＿ｉを取得し、それらをマルチモード・ユーザの装備のＧＳＭネイバー・リスト・セットとして収集する。そのセット内にＫのリストがあって、Ｋが３２以上であるならば、次に、測定及び設定プロセスを終了し；そうでなければ、測定されるべきＧＳＭネイバーのための選択及び測定アルゴリズムに従って、ＧＳＭ＿Ｃｅｌｌ＿Ｓｅｔから、ＧＳＭ＿Ｎｅｉｇｈｂｏｒ＿Ｌｉｓｔ＿ｉにおける任意の他のセルとは異なる（３２―Ｋ）のＧＳＭセルが、測定されるべきＧＳＭネイバー・リスト、すなわち、ＧＳＭ＿Ｎｅｉｇｈｂｏｒ＿Ａｄｄ＿Ｌｉｓｔ＿ｉ＿ｊ、として選択される。ＧＳＭ＿Ｎｅｉｇｈｂｏｒ＿Ｌｉｓｔ＿ｉ及びＧＳＭ＿Ｎｅｉｇｈｂｏｒ＿Ａｄｄ＿Ｌｉｓｔ＿ｉ＿ｊは、一緒になって３２の測定されるべきＧＳＭネイバー・リスト、すなわち、ＧＳＭ＿Ｎｅｉｇｈｂｏｒ＿Ｓｅｔの待ち行列を形成し、それらは、測定のための対応の条件と一緒に、測定制御ユニットを介して測定のためにマルチモード・ユーザの装備に直接配信される。
【００７８】
測定されるべきＧＳＭネイバー、ＧＳＭ＿Ｎｅｉｇｈｂｏｒ＿Ａｄｄ＿Ｌｉｓｔ＿ｉ＿ｊのための選択及び測定アルゴリズムは、以下のステップを含む：
【００７９】
（１）：ＧＳＭ＿Ｃｅｌｌ＿Ｓｅｔにおけるセル情報をＧＳＭ＿Ｎｅｉｇｈｂｏｒ＿Ｌｉｓｔ＿ｉにおけるネイバー情報と比較し；ＧＳＭ＿Ｃｅｌｌ＿Ｓｅｔにおいて、ＧＳＭ＿Ｎｅｉｇｈｂｏｒ＿Ｌｉｓｔ＿ｉにおけるＧＳＭネイバー情報を排除し、そして、ＷＣＤＭＡ＿Ｃｅｌｌ＿Ｓｅｔにおけるｉ番目のセルＣｅｌｉｄｉの測定されるべきＧＳＭネイバー・リストの待ち行列を構成する；
【００８０】
（２）：このセルにおけるマルチモード・ユーザの装備がＧＳＭセルの測定を開始することを必要とするとき、最初の（３２−Ｋ）の測定されるべきネイバー・リストが待ち行列の頭から選択され；該選択された測定されるべきＧＳＭネイバーが反復的に配信されたネイバーでないということを確実にするために、これらの（３２−Ｋ）の測定されるべきネイバーが配信された後、それらは待ち行列の終わりに移動され；これらの（３２−Ｋ）の測定されるべきネイバーが測定のためにマルチモード・ユーザの装備に成功裏に配信されると、ＷＣＤＭＡ＿Ｃｅｌｌ＿Ｓｅｔにおけるｉ番目のセルＣｅｌｌｉｄｉにおけるＧＳＭネイバーの配信回数に１を加える；
【００８１】
（３）：ＧＳＭセルの配信回数がＮｒｅｐｅａｔに達するまでステップ（２）を繰返し、次に、ＷＣＤＭＡ＿Ｃｅｌｌ＿Ｓｅｔにおけるｉ番目のセルＣｅｌｌｉｄｉの測定されるべきＧＳＭネイバー・リストを配信することを終了する。
【００８２】
ステップ（Ｖ）：ＧＳＭネイバーの情報を処理する設定ユニットにＧＳＭネイバーの情報を測定して報告するマルチモード・ユーザの装備：
【００８３】
無線ネットワーク・コントローラにおける測定制御ユニットによって配信される測定制御に基づいて、マルチモード・ユーザの装備は、測定されるべきＧＳＭネイバーの信号を測定することを開始し、測定制御の要件に従って無線ネットワーク・コントローラに報告する。無線ネットワーク・コントローラは、該報告を処理し、例えば、ネイバーとして設定されていた２Ｇセルに関する報告をフィルター・オフし、そして該報告を動作及び保守センターにおける設定ユニットに送る。マルチモード・ユーザの装備から該報告を受信した後、動作及び保守センターにおける設定ユニットは、記録条件が叶えられるならば、該測定報告を記録する。
【００８４】
記録のための条件は、もし、含まれているＧＳＭネイバーが現在のセルのＧＳＭ＿Ｎｅｉｇｈｂｏｒ＿Ｌｉｓｔ＿ｉ内に無いならば、無線ネットワーク・コントローラはマルチモード・ユーザの装備が現在居るＣｅｌｌｉｄｉの情報、報告されたＧＳＭネイバー（すなわち、ＢＤＤＨ周波数点数及びＢＳＩＣ情報）並びにＧＳＭセルの信号品質の情報を記録し、それらを、動作及び保守センター（ＯＭＣ）における設定ユニットに報告し；もしそうでなければ 、どんな動作も必要とされない、ということである。
【００８５】
ステップ（ＶＩ）：ＷＣＤＭＡセルにおける誤設定されたＧＳＭネイバーを自動的に設定する設定ユニット：
【００８６】
ステップ（ＩＩＩ）における要件によれば、セルにおける測定されるべきネイバーの情報がマルチモード・ユーザの装備に完全に配信されて、配信回数がＮｒｅｐｅａｔに達してしまったならば、無線ネットワーク・コントローラにおける測定制御ユニットは、動作及び保守センター（ＯＭＣ）における設定ユニットに、セルのネイバーの情報配信が完了してしまったということを知らせる。設定ユニットは、測定されるべきＧＳＭネイバーの報告された情報の全てを収集し；それは、或る測定されるべきＧＳＭネイバーの信号品質が予め設定された閾値を超えた場合、例えば、ＧＳＭの信号レベルが−１００ｄＢｍより大きい場合であり、そして、報告回数も予め設定された閾値を超えた場合、例えば、或る２Ｇセルの報告回数が１０回を超えた場合である。次に、それは、測定されるべきＧＳＭネイバーが誤設定されたネイバーであるということを立証し、それは、ＷＣＤＭＡセルにおけるＧＳＭネイバー・リストに加えられる。
【００８７】
ＧＳＭネイバーは、動作及び保守センターによって自動的に、または、手によって条件的にすなわち選択的に、のいずれかによってＷＣＤＭＡセルに加えられる。
【００８８】
ステップ（ＶＩＩ）：ステップ（Ｉ）からステップ（ＶＩ）を反復し、全てのＷＣＤＭＡセルを考察し、そして、それらのためのＧＳＭネイバーを測定して設定し、そして次に、ＷＣＤＭＡセルにおける誤設定されたＧＳＭネイバーを測定して設定することを終了すること：
【００８９】
もし、ＷＣＤＭＡ＿Ｃｅｌｌ＿Ｓｅｔにおけるセルの全てが考察されて、測定及び設定が終了されたならば、次に、これらのＷＣＤＭＡセルにおける誤設定されたＧＳＭネイバーを測定し設定することを終了する。
【００９０】
本発明の実施形態によるＷＣＤＭＡネットワークにおける誤設定されたＧＳＭネイバーを測定して設定するための方法は、誤設定されたＧＳＭネイバーを測定することの問題を成功裏に解決している。それは、早めに誤設定されたネイバーを見つけることができ、そして、誤設定されたネイバーに関する問題を迅速に解決することができ、このように、効率を改善し、ユーザの感覚をよりよいものとし、そして、ユーザの満足度を高める。一方、当該システムは、複雑なチャンネル・テスト及びＣＱＴテストを回避しつつ、誤設定されたネイバーを自動的に測定して設定することができる。
【００９１】
本実施形態は、当業者が本発明をよりよく理解することを目的とした本発明の詳細説明である。しかしながら、当業者は、他の変形及び変更が本発明の特許請求の範囲の記載及び精神から逸脱することなく行われ得るということを理解すべきである。例外なしに、それらは、本発明の保護範囲内にあるものである。
【図面の簡単な説明】
【００９２】
【図１】本発明の実施形態による３Ｇネットワークにおける誤設定された２Ｇネイバーを測定して設定するためのシステムを示す概略図である。
【図２】本発明の実施形態による３Ｇネットワークにおける誤設定された２Ｇネイバーを測定して設定するための方法を示すフローチャートである。
【図１】
2007143165.tif 000004
【図２】
2007143165.tif 000005
【外国語明細書】
2007143165.tif 000006
2007143165.tif 000007
2007143165.tif 000008
2007143165.tif 000009
2007143165.tif 000010
2007143165.tif 000011
2007143165.tif 000012
2007143165.tif 000013
2007143165.tif 000014
2007143165.tif 000015
2007143165.tif 000016
2007143165.tif 000017
2007143165.tif 000018
2007143165.tif 000019
2007143165.tif 000020
2007143165.tif 000021
2007143165.tif 000022
2007143165.tif 000023
2007143165.tif 000024
2007143165.tif 000025
2007143165.tif 000026
2007143165.tif 000027
2007143165.tif 000028
2007143165.tif 000029
2007143165.tif 000030
2007143165.tif 000031
2007143165.tif 000032
2007143165.tif 000033
2007143165.tif 000034
2007143165.tif 000035
2007143165.tif 000036
2007143165.tif 000037
2007143165.tif 000038
2007143165.tif 000039
2007143165.tif 000040
2007143165.tif 000041
2007143165.tif 000042
2007143165.tif 000043
2007143165.tif 000044
2007143165.tif 000045
2007143165.tif 000046
2007143165.tif 000047
2007143165.tif 000048